(57)【要約】【課題】　本発明は、各室の特性に合わせて暖房と冷房とを同時に行なうことのできるマルチ空気調和機向上方法を提供する。【解決手段】　本発明は、室外に設けられ、内部に圧縮機と、前記圧縮機の吐き出し端に連結し、運転条件に従って冷媒を選択的に案内する冷媒流動制御部と、前記冷媒流動制御部と連結する室外熱交換機、また、前記各構成要素を連結する配管部を有する室外機と、室内の各室に各々設けられ、内部に一端が分配器に連結された室外熱交換機と、一端が前記室内熱交換機に連結され、他端が前記分配器に連結された電気作動式膨張弁が備えられた多数室内機と、前記室外機と前記室内機との間に備えられて前記室外機から流れ込んだ冷媒を前記運転条件によって前記多数室内機へ選択的に案内し、室内機を経由した冷媒を前記室外機へ再び案内する分配器を具備し、前記配管部は、第１連結配管、第２連結配管、及び第３連結配管を具備することを特徴とする。【選択図】　　　図２
2004085195.tif 000002
【特許請求の範囲】
【請求項１】
　室外に設けられ、内部に圧縮機と、前記圧縮機の吐き出し端に連結し、運転条件に従って冷媒を選択的に案内する冷媒流動制御部と、前記冷媒流動制御部と連結する室外熱交換機、また、前記各構成要素を連結する配管部を有する室外機と、
　室内の各室に各々設けられ、内部に一端が分配器に連結された室外熱交換機と、一端が前記室内熱交換機に連結され、他端が前記分配器に連結された電気作動式膨張弁が備えられた多数室内機と、
　前記室外機と前記室内機との間に備えられて前記室外機から流れ込んだ冷媒を前記運転条件によって前記多数室内機へ選択的に案内し、室内機を経由した冷媒を前記室外機へ再び案内する分配器を具備し、
　前記配管部は、一端が前記冷流動制御部に連結され他端が前記分配器に連結され、その間に室外熱交換機が連結される第１連結配管、一端が前記冷媒流動制御部に連結され、圧縮した冷媒を直接分配器へ案内する第２連結配管、また、前記圧縮機の吸入端と前記分配器を連結し、中間部が前記冷媒流動制御部に連結されて低圧気相の冷媒を圧縮機へ案内する第３連結配管を具備するマルチ空気調和機。
【請求項２】
　前記運転条件は、
　　室内の各室の状態によって全室を冷房する第１モードと、
　　多数室を冷房し、少数室を暖房する第２モードと、
　　全室を暖房する第３モードと、
　　多数室を暖房し、少数室を冷房する第４モードと
　を具備する請求項１に記載のマルチ空気調和機。　
【請求項３】
　前記冷媒の流動制御部は、
　　一端が前記圧縮機の吐き出し端に連結された第１補助連結管と、
　　一端が前記第１補助連結管の他端に連結され、前記第１補助連結管から流れ込んだ冷媒の流れを運転条件に沿って変換する流路制御ユニットと、
　　一端が前記流路制御ユニットに連結され、他端が前記第１連結配管に連結されている第２補助連結管と、
　　一端が前記流路制御ユニットに連結され、他端が第３連結配管の中端部に連結された第３補助連結管を具備する請求項２に記載のマルチ空気調和機。
【請求項４】
　前記流路制御ユニットは、
　運転条件に沿って、冷媒の流れを電子式統制方式によって制御する電子弁を内部に具備する請求項３に記載のマルチ空気調和機。
【請求項５】
　前記流路制御ユニットは、
　運転条件に沿って位置を変換して冷媒を案内し、内部には流路が形成されたインナー弁を前記流路制御ユニットの内部に具備する請求項３に記載のマルチ空気調和機。
【請求項６】
　前記冷媒流動制御部は、
　前記流路制御ユニットの動作を遅延せずに行う遅延防止ユニットを更に具備する請求項５に記載のマルチ空気調和機。
【請求項７】
　前記遅延防止ユニットは、
　一端が前記第２連結配管の中間部に連結された遅延防止配管と、
　一端が前記遅延防止配管の他端に連結され、他端が流路制御ユニットに連結され、前記第３または第４モード運転の時、前記インナー弁の一方が加圧され続けるように冷媒を所定量の前記流路制御ユニットの内部へ案内して前記インナー弁を固定する加圧用閉鎖管を具備する請求項６に記載のマルチ空気調和機。
【請求項８】
　前記冷媒流動制御部は、
　前記第１補助連結管の中間部に前記第２連結配管が連結され、
　前記流路制御ユニットは四方弁からなる請求項７に記載のマルチ空気調和機。
【請求項９】
　前記遅延防止ユニットは、
　前記遅延防止配管に備えられ、前記第１または第２モード運転の時、前記遅延防止配管へ流れる低圧と高圧の冷媒を遮断して冷媒圧を各々維持する均圧弁と、
　一端が前記遅延防止配管の他端に連結され、他端が前記第３連結配管の中間部に連結され、前記第３または第４モードから前記第１または第２モードに転換の時、前記加圧用閉鎖管の冷媒圧を減らして前記インナー弁の移動を迅速にする圧力低減用補助冷媒流動管を更に具備する請求項８に記載のマルチ空気調和機。
【請求項１０】
　前記遅延防止ユニットは、
　前記補助冷媒流動管と遅延防止配管との連結部に備えられ、前記第３または第４モード運転の時、前記補助冷媒流動管と遅延防止配管との間を遮断して冷媒の圧力を各々維持する補助均圧弁と、
　前記均圧弁と前記補助均圧弁との間に備えられ、前記第１または第２モードから前記第３または第４モードに転換の時、冷媒を急速に前記加圧用閉鎖管に流入させて前記インナー弁の移動を迅速にする急速冷媒流動管を具備する請求項９に記載のマルチ空気調和機。
【請求項１１】
　前記配管部は、
　前記分配器側の第１連結配管に設けられ、前記第１または第２モード運転時にだけ、前記分配器側へ冷媒を通過させる逆止弁と、
　前記逆止弁と並列に設けられて前記第３または第４モード運転時にだけ前記分配器から流れ込んだ冷媒を前記室外熱交換機へ案内し、前記冷媒を膨張する要素を含む並列膨張配管を更に具備する請求項２に記載のマルチ空気調和機。
【請求項１２】
　前記並列膨張配管上の膨張要素は、
　前記第３または第４モード運転の時、前記室外熱交換機に流れ込む冷媒を膨張させる暖房用電気作動式膨張弁を具備する請求項１０に記載のマルチ空気調和機。
【請求項１３】
　前記配管部は、
　前記分配器側の第１連結配管に設けられ第１または第２モード運転の時にだけ冷媒を通過させる逆止弁と、
　前記逆止弁と並列に設けられ、前記第３または第４モード運転の時にだけ前記分配器から流れ込んだ冷媒を前記室外熱交換機へ案内し、前記冷媒を膨張させる要素を含む並列膨張配管を更に具備する請求項１０に記載のマルチ空気調和機。
【請求項１４】
　前記並列膨張配管上の膨張要素は、
　前記第３または第４モード運転の時、前記室外熱交換機に流れ込む冷媒を膨張させる暖房用電気作動式膨張弁からなる請求項１３に記載のマルチ空気調和機。
【請求項１５】
　前記分配器は、
　運転モードに沿って前記室外機の第１または第２連結配管に沿って流れ込む冷媒を前記室内へ案内し、前記室内機から流れ込む冷媒を前記第１連結配管または第３連結配管を介して室外機へ案内する案内配管部と、
　前記案内配管部に設けられ前記運転条件に沿って冷媒が前記室内機へ選択的に流出及び流入するように冷媒の流れを制御する弁部を具備する請求項２に記載のマルチ空気調和機。
【請求項１６】
　前記案内配管部は、
　前記第１連結配管と連結して高圧の液相冷媒を前記室内機と、室内機との間に案内する高圧の液相流路と、
　前記第２連結配管と連結して高圧の気相冷媒を前記室内機と室内機との間に案内する高圧の気相流路と、
　前記第３連結配管と連結して低圧の気相冷媒を前記室内機と室内機との間に案内する低圧の気相流路を具備する請求項１５に記載のマルチ空気調和機。
【請求項１７】
　前記案内配管部は、
　一端が前記室外機の第１連結配管に直接連結される高圧の液相冷媒の連結管と、
　一端が前記高圧の液相冷媒の連結管で前記室内機の数によって分岐し、他端が前記各室内機の電気作動式膨張弁に連結される高圧の液相冷媒の分岐管と、
　一端が前記室外機の第２連結配管と直接連結する高圧の気相冷媒の連結管と、
　一端が前記高圧の気相冷媒の連結管で前記室内機の数によって分岐し、他端が前記各室内機の熱交換機に連結される高圧の気相冷媒分岐管と、
　一端が前記室外機の第３連結配管に直接連結される低圧の気相冷媒連結管と、
　一端が前記低圧の気相冷媒連結管で前記室内機の数によって分岐し、他端が前記各室内機の熱交換機と連結される低圧の気相冷媒の分岐管とを具備する請求項１６に記載のマルチ空気調和機。
【請求項１８】
　前記分配器は、
　前記第２連結配管と、前記低圧気相連結管との間に設けられて第１モード運転時に高圧の気相冷媒が溜まることによって液化することを防止する請求項１７に記載のマルチ空気調和機。
【請求項１９】
　前記液化遮断装置は、
　前記第２連結配管と前記低圧の気相冷媒連結配管とを連結して、前記第１モード運転の時、溜まった高圧の気相冷媒を迂回させるバイパス管と、
　前記バイパス管に設けられて前記第２連結配管に溜まる高圧の気相冷媒を低圧の気相冷媒に変換させる電気作動式膨張弁を具備する請求項１８に記載のマルチ空気調和機。
【請求項２０】
　前記弁部は、
　前記高圧の気相冷媒分岐管と前記低圧の気相冷媒分岐管にそれぞれ設けられて室内が冷房の場合、前記高圧気相の冷媒分岐管の弁は閉鎖、低圧気相の冷媒分岐管の弁は開放し、
　室内が暖房の場合、前記の各弁が逆に開閉されて冷媒の流れを制御する選択弁を具備する請求項１８に記載のマルチ空気調和機。
【請求項２１】
　前記室内機の電気作動式膨張弁は、
　暖房時に開道を完全に開放して膨張せず、前記室内熱交換機から前記高圧の液相冷媒の分岐管へ冷媒を案内し、
　冷房時、開道を制御して冷媒を膨張させて前記高圧の液相冷媒分岐管から前記室内熱交換機へ冷媒を案内する請求項２０に記載のマルチ空気調和機。
【請求項２２】
　前記分配器は、
　一端が前記室外機の第1連結配管に直接連結される高圧の液相冷媒連結管と、
　一端が前記高圧の液相冷媒連結管で前記室内機の数によって分岐し、他端が前記各室内機の電気作動式膨張弁に連結される高圧の気相冷媒分岐管と
　一端が前記室外機の第２連結配管に直接連結される高圧の気相冷媒連結管と、
　一端が前記高圧の気相冷媒連結管で前記室内機の数によって分岐し、他端が前記各室内機の熱交換機に連結される高圧の気相冷媒分岐管と、
　一端が前記室外機の第３連結配管に直接連結される低圧の気相冷媒連結管と、
　一端が前記低圧の気相冷媒連結管で前記室内機の数によって分岐し、他端が前記各室内機の熱交換機に連結される低圧の気相冷媒分岐管と、
　前記高圧の気相冷媒分岐管と低圧の気相冷媒分岐管にそれぞれ設けられ、室内が冷房の場合、前記高圧の気相冷媒分岐管の弁は閉鎖、低圧の気相冷媒分岐管の弁は開放し、室内が暖房の場合、前記各弁が逆に開閉して冷媒の流れを制御する選択弁を具備した請求項１４に記載のマルチ空気調和機。
【請求項２３】
　前記分配器は、
　前記第２連結配管と前記低圧気相連結管との間に設けられ第１モード運転時、高圧の気相冷媒が、渋滞によって液化することを防止する液化遮断装置を更に具備する請求項２２に記載のマルチ空気調和機。
【請求項２４】
　前記液化遮断装置は、
　前記第２連結配管と前記低圧の気相冷媒連結管とを連結する第１モード運転時、渋滞した高圧の気相冷媒を迂回させるバイパス管と、
　前記バイパス管に設けられて前記第２連結配管に溜まる高圧の気相冷媒を低圧の気相冷媒に変換する電気作動式変換弁を具備する請求項２３に記載のマルチ空気調和機。
【請求項２５】
　前記室内機の電気作動式膨張弁は、
　暖房時に開道を完全開放して膨張せずに前記室内の熱交換機から前記高圧の液相冷媒分岐管へ冷媒を案内し、
　冷房時に開道を制御して冷媒を膨張させると共に前記高圧の液相冷媒分岐管で前記室内熱交換機へ冷媒を案内する請求項２４に記載のマルチ空気調和機。
【請求項２６】
　前記分配器は、
　前記各室内機の設置条件に沿って少なくとも一つ以上具備する請求項２０に記載のマルチ空気調和機。
【請求項２７】
　前記分配器は、
　前記各室内機の設置条件に沿って少なくとも一つ以上具備する請求項２２に記載のマルチ空気調和機。
【請求項２８】
　前記各室内機の設置条件に沿って少なくとも一つ以上具備する請求項２５に記載のマルチ空気調和機。
【請求項２９】
　前記室外機の第１連結配管の後端部、第２連結配管、第３連結配管、及び前記分配器の各案内配管部は、
　運転条件に無関係に同一状態と同一圧力の冷媒が流れる請求項１５に記載のマルチ空気調和機。
【請求項３０】
　前記室外機の第１連結配管の後端部、第２連結配管、第３連結配管、及び前記分配器の各案内配管部は、
　運転条件に無関係に同一状態と同一圧力の冷媒が流れる請求項２５に記載のマルチ空気調和機。
【発明の詳細な説明】
【技術分野】
【０００１】
　本発明はマルチ空気調和機に関するもので、特に冷暖房同時型のマルチ空気調和機に関する。
【背景技術】
【０００２】
　一般に、空気調和機は、住居空間、レストラン、又は事務室などの室内空間を冷房又は暖房するための装置である。
　このような空気調和機では、近来、多数室に区画された室内空間をより効率的に冷暖房するためのマルチ空気調和機の開発が持続的に行われている。そして、このようなマルチ空気調和機は、一般に、一台の室外機に多数室内機が連結され、各室に室内機の各々を設置する形態をとり、冷房または暖房の何れかの運転モードで動作しながら室内を冷暖房する。
【０００３】
　然しながら、多数室の一つの室を暖房し、他の室を冷房することが必要な場合でも冷房モード又は暖房モードで一律に運転されるため、こうした要求に適切に対応することができない。
　例えば、ビルなどでは、室の位置や時間に応じて温度差が発生することがあり、ビルの北側の室内では暖房が必要となり、南側の室内では冷房が必要な場合、一つのモードで運転されている従来のマルチ空気調和機では、こうした要求に適切に対応できないという限界がある。
【０００４】
　このため、各室の室内環境に対応する最適の運転モード、つまり、冷房を要する室内には冷房モードで運転すると同時に、暖房を要する他の室内には暖房モードで運転可能な冷暖房同時型のマルチ空気調和機の開発が要求されている。
【０００５】
　また、従来のマルチ空気調和機は、冷房モードと暖房モードにおいて各配管の同一地点を流動する冷媒が運転条件に従って互いに異なる状態、即ち、相と圧力とが異なるので配管径に過剰安全率を適用して設計するという問題があった。
【発明の開示】
【発明が解決しようとする課題】
【０００６】
　本発明は、上記関連技術の問題点を解決するためのもので、本発明の目的は、各室の特性に合わせて暖房と冷房とを同時に行なうことのできるマルチ空気調和機を提供することである。
【０００７】
　本発明の他の目的は、空気調和機の配管構成を単純化させ、製造単価を低下することにある。
【０００８】
　本発明のまた他の目的は、運転条件に関係することなく、各配管に常に特定の圧力及び特定の相の冷媒が流動可能とし、運転モードの変換時に冷媒の流れを遅延させることなく転換させることにある。
【課題を解決するための手段】
【０００９】
　上記目的を達成するために本発明によるマルチ空気調和機は、室外に設けられ、内部に圧縮機と、前記圧縮機の吐き出し端に連結され、運転条件に従って冷媒を選択的に案内する冷媒流動制御部と、前記冷媒流動制御部に連結される室外熱交換機、また、前記各構成要素を連結する配管部を有する室外機と、室内の各室に各々設けられ、内部に一端が分配器に連結された室外熱交換機と、一端が前記室内熱交換機に連結され、他端が前記分配器に連結された電気作動式膨張弁が備えられた多数室内機と、前記室外機と前記室内機との間に備えられて前記室外機から流れ込んだ冷媒を前記運転条件によって前記多数室内機へ選択的に案内し、室内機を経由した冷媒を前記室外機へ再び案内する分配器を具備し、前記配管部は、一端が前記冷流動制御部に連結され他端が前記分配器に連結され、その間に室外熱交換機が連結される第１連結配管、一端が前記冷媒流動制御部に連結され、圧縮した冷媒を直接分配器へ案内する第２連結配管、また、前記圧縮機の吸入端と前記分配器を連結し、中間部が前記冷媒流動制御部に連結されて低圧気相の冷媒を圧縮機へ案内する第３連結配管を具備する。
【００１０】
　前記配管部は、一端が前記冷媒の流動制御部に連結され、他端が前記分配器に連結され、その間に室外熱交換機が連結される第１連結配管と、一端が前記冷媒の流動制御部に連結され、圧縮された冷媒を直接分配器へ案内する第２連結配管と、また、前記圧縮機の吸入端と前記分配器を連結し、中間部が前記冷媒流動制御部に連結されて低圧気相の冷媒を圧縮機へ案内する第３連結配管を具備する。
【００１１】
　前記運転条件は、室内の各室の状態によって全室を冷房する第１モードと、多数室を冷房し、少数室を暖房する第２モードと、全室を暖房する第３モードと、多数室を暖房し、少数室を冷房する第４モードとを具備する。
【００１２】
　前記冷媒の流動制御部は、一端が前記圧縮機の吐き出し端に連結された第１補助連結管と、一端が前記第１補助連結管の他端に連結され、前記第１補助連結管から流れ込んだ冷媒の流れを運転条件に沿って変換する流路制御ユニットと、一端が前記流路制御ユニットに連結され、他端が前記第１連結配管に連結されている第２補助連結管と、一端が前記流路制御ユニットに連結され、他端が第３連結配管の中端部に連結された第３補助連結管を具備する。
【００１３】
　前記流路制御ユニットは、運転条件に沿って位置を変換して冷媒を案内し、内部には流路が形成されたインナー弁を前記流路制御ユニットの内部に具備する。
【００１４】
　前記冷媒流動制御部は、前記流路制御ユニットの動作を遅延せずに行う遅延防止ユニットを更に具備する。前記遅延防止ユニットは、一端が前記第２連結配管の中間部に連結された遅延防止配管と、一端が前記遅延防止配管の他端に連結され、他端が流路制御ユニットに連結され前記第３または第４モード運転の時、前記インナー弁の一方が加圧され続けるように冷媒を所定量の前記流路制御ユニットの内部へ案内して前記インナー弁を固定する加圧用閉鎖管を具備する。
【００１５】
　前記冷媒流動制御部は、前記第１補助連結管の中間部に前記第２連結配管が連結され、前記流路制御ユニットは四方弁からなる。前記遅延防止ユニットは、前記遅延防止配管に備えられ、前記第１または第２モード運転の時、前記遅延防止配管へ流れる低圧と高圧の冷媒を遮断して冷媒圧を各々維持する均圧弁と、一端が前記遅延防止配管の他端に連結され、他端が前記第３連結配管の中間部に連結され、前記第３または第４モードから前記第１または第２モードに転換の時、前記加圧用閉鎖管の冷媒圧を減らして前記インナー弁の移動を迅速にする圧力低減用補助冷媒流動管を更に具備する。
【００１６】
　前記遅延防止ユニットは、前記補助冷媒流動管と遅延防止配管との連結部に備えられ、前記第３または第４モード運転の時、前記補助冷媒流動管と遅延防止配管との間を遮断して冷媒の圧力を各々維持する補助均圧弁と、前記均圧弁と前記補助均圧弁との間に備えられ、前記第１または第２モードから前記第３または第４モードに転換の時、冷媒を急速に前記加圧用閉鎖管に流入させて前記インナー弁の移動を迅速にする急速冷媒流動管を具備する。
【００１７】
　前記配管部は、前記分配器側の第１連結配管に設けられ、前記第１または第２モード運転時にだけ、前記分配器側へ冷媒を通過させる逆止弁と、前記逆止弁と並列に設けられて前記第３または第４モード運転時にだけ前記分配器から流れ込んだ冷媒を前記室外熱交換機へ案内し、前記冷媒を膨張する要素を含む並列膨張配管を更に具備する。前記並列膨張配管上の膨張要素は、前記第３または第４モード運転の時、前記室外熱交換機に流れ込む冷媒を膨張させる暖房用電気作動式膨張弁を具備する。
【００１８】
　前記配管部は、前記分配器側の第１連結配管に設けられ、第１または第２モード運転の時にだけ冷媒を通過させる逆止弁と、前記逆止弁と並列に設けられ、前記第３または第４モード運転の時だけ前記分配器から流れ込んだ冷媒を前記室外熱交換機へ案内し、前記冷媒を膨張させる要素を含む並列膨張配管を更に具備する。
【００１９】
　前記並列膨張配管上の膨張要素は、前記第３または第４モード運転の時、前記室外熱交換機に流れ込む冷媒を膨張させる暖房用電気作動式膨張弁からなる。
　前記分配器は、運転モードに沿って前記室外機の第１または第２連結配管に沿って流れ込む冷媒を前記室内へ案内し、前記室内機から流れ込む冷媒を前記第１連結配管または第３連結配管を介して室外機へ案内する案内配管部と、前記案内配管部に設けられ前記運転条件に沿って冷媒が前記室内機へ選択的に流出及び流入するように冷媒の流れを制御する弁部を具備する。
【００２０】
　前記案内配管部は、前記第１連結配管に連結されて高圧の液相冷媒を前記室内機と、室内機との間で案内する高圧の液相流路と、前記第２連結配管に連結されて高圧の気相冷媒を前記室内機と室内機との間で案内する高圧の気相流路と、前記第３連結配管に連結されて低圧の気相冷媒を前記室内機と室内機との間で案内する低圧の気相流路を具備する。
【００２１】
　前記案内配管部は、一端が前記室外機の第１連結配管に直接連結される高圧の液相冷媒の連結管と、一端が前記高圧の液相冷媒の連結管で前記室内機の数によって分岐し、他端が前記各室内機の電気作動式膨張弁と連結する高圧の液相冷媒の分岐管と、一端が前記室外機の第２連結配管と直接連結する高圧の気相冷媒の連結管と、一端が前記高圧の気相冷媒の連結管で前記室内機の数によって分岐し、他端が前記各室内機の熱交換機と連結する高圧の気相冷媒分岐管と、一端が前記室外機の第３連結配管に直接連結される低圧の気相冷媒連結管と、一端が前記低圧の気相冷媒連結管で前記室内機の数によって分岐し、他端が前記各室内機の熱交換機に連結される低圧の気相冷媒の分岐管とを具備する。
【００２２】
　前記分配器は、前記第２連結配管と、前記低圧気相連結管との間に設けられて第１モード運転時に高圧の気相冷媒が溜まることによって液化することを防止し、前記液化遮断装置は、前記第２連結配管と前記低圧の気相冷媒連結配管とを連結して、前記第１モード運転の時、溜まった高圧の気相冷媒を迂回させるバイパス管と、前記バイパス管に設けられて前記第２連結配管に溜まる高圧の気相冷媒を低圧の気相冷媒に変換させる電気作動式膨張弁を具備する。
【００２３】
　前記弁部は、前記高圧の気相冷媒分岐管と前記低圧の気相冷媒分岐管にそれぞれ設けられて室内が冷房の場合、前記高圧気相の冷媒分岐管の弁は閉鎖、低圧気相の冷媒分岐管の弁は開放され、室内が暖房の場合、前記の各弁が逆に開閉されて冷媒の流れを制御する選択弁を具備する。
【００２４】
　前記室内機の電気作動式膨張弁は、暖房時に開道を完全に開放して膨張せず、前記室内熱交換機から前記高圧の液相冷媒の分岐管へ冷媒を案内し、冷房時、開道を制御して冷媒を膨張させて前記高圧の液相冷媒分岐管から前記室内熱交換機へ冷媒を案内し、前記分配器は、一端が前記室外機の第1連結配管に直接連結される高圧の液相冷媒連結管と、一端が前記高圧の液相冷媒連結管で前記室内機の数によって分岐し、他端が前記各室内機の電気作動式膨張弁に連結される高圧の気相冷媒分岐管と、一端が前記室外機の第２連結配管に直接連結される高圧の気相冷媒連結管と、一端が前記高圧の気相冷媒連結管で前記室内機の数によって分岐し、他端が前記各室内機の熱交換機と連結する高圧の気相冷媒分岐管と、一端が前記室外機の第３連結配管に直接連結される低圧の気相冷媒連結管と、一端が前記低圧の気相冷媒連結管で前記室内機の数によって分岐し、他端が前記各室内機の熱交換機と連結する低圧の気相冷媒分岐管と、前記高圧の気相冷媒分岐管と低圧の気相冷媒分岐管にそれぞれ設けられ、室内が冷房の場合、前記高圧の気相冷媒分岐管の弁は閉鎖し、低圧の気相冷媒分岐管の弁は開放し、室内が暖房の場合、前記各弁が逆に開閉して冷媒の流れを制御する選択弁を具備する。
【００２５】
　前記分配器は、前記第２連結配管と前記低圧気相連結管との間に設けられ第１モード運転時、高圧の気相冷媒が、渋滞によって液化することを防止する液化遮断装置を更に具備し、前記液化遮断装置は、前記第２連結配管と前記低圧の気相冷媒連結管とを連結する第１モード運転時、渋滞した高圧の気相冷媒を迂回させるバイパス管と、前記バイパス管に設けられて前記第２連結配管に溜まる高圧の気相冷媒を低圧の気相冷媒に変換する電気作動式変換弁を具備する。
【００２６】
　前記室内機の電気作動式膨張弁は、暖房時に開道を完全開放して膨張せずに前記室内の熱交換機から前記高圧の液相冷媒分岐管へ冷媒を案内し、冷房時に開道を制御して冷媒を膨張させると共に前記高圧の液相冷媒分岐管で前記室内熱交換機へ冷媒を案内し、前記分配器を前記各室内機の設置条件に沿って少なくとも一つ以上具備し、前記分配器は前記各室内機の設置条件に沿って少なくとも一つ以上具備する。　前記各室内機の設置条件に沿って少なくとも一つ以上具備する。
【００２７】
　前記室外機の第１連結配管の後端部、第２連結配管、第３連結配管、及び前記分配器の各案内配管部は、運転条件に無関係に同一状態と同一圧力の冷媒が流れ、前記室外機の第１連結配管の後端部、第２連結配管、第３連結配管、及び前記分配器の各案内配管部は、運転条件に無関係に同一状態と同一圧力の冷媒が流れる。
【発明の効果】
【００２８】
　以下に説明するように、本発明のマルチ空気調和機によると、次のような効果がある。
　第一、本発明によるマルチ空気調和機では、各室の環境に最適な対応が可能であるという長所がある。即ち、各室の全体を冷房する第１モード、多数室を冷房し、少数室を暖房する第２モード、各室の全体を暖房する第３モード、及び多数室を暖房し、少数室を冷房する第４モードの運転が可能となる。
【００２９】
　第二、本発明によるマルチ空気調和機は室外機の配管数が三つと単純であるので製造工程の単純化及び生産単価の低減が可能となる。
　第三、本発明によるマルチ空気調和機によると、運転条件に拘らず、各連結配管にいつも特定した圧力及び特定冷媒が流れるので配管径の過剰設計を防止できる。
【００３０】
　第四、本発明によるマルチ空気調和機において、遅延防止ユニットを更に備える場合、運転モードの転換時、四方弁内の圧力差によってインナー弁の転換が迅速になる。
　第五、本発明によるマルチ空気調和機において、液化遮断手段を更に備える場合、第１モード運転時、室外機の第２連結配管に溜まる高圧の気相冷媒が液化せずに低圧の気相冷媒へ流れ込むので冷媒不足現象を防止できる。
【００３１】
　第六、本発明によるマルチ空気調和機によると、室内空間の広さや構造によって複数の分配器を構成できるので設置上の長所がある。
　第七、本発明によるマルチ空気調和機によると、複数の分配器が備えられても別途の圧力調節手段が不要であり、構成の単純化、製造工程の単純化、生産単価の低減及び容易な設置などの長所がある。
【００３２】
　以上の本発明は後述の実施態様に限定されず、本発明の技術思想に基づいて種々の変形が可能である。
【発明を実施するための最良の形態】
【００３３】
　以下、添付の図面を参照して本発明を更に詳細に説明する。
　本実施例を説明するにあたり、同一構成については同一名称および符号が使用され、これによる付加的な説明は下記にて省略される。
　本発明に対する容易な理解のために、冷暖房同時型のマルチ空気調和機の機能について先に説明する。
　空気調和機は、特定領域の空気を、使用目的に合わせて空気の温度、湿度、空気の流動及び空気の清浄度などを調節するように作動する。例えば、主居空間や事務所、食堂などの室内空間を冷房または暖房する機能のことをいう。
【００３４】
　マルチ空気調和機において、冷房運転時には室内の熱を吸収した低圧の冷媒を高圧の冷媒で圧縮した後、空気中へ放熱を行う。なお、暖房運転時に、かかる過程が反対に行われる。但し、従来のマルチ空気調和機は室内の全室を一律に冷房または暖房するが、冷暖房同時型のマルチ空気調和機は各室の状態によって運転条件を差別化できる。
【００３５】
　前記冷暖房同時型のマルチ空気調和機の構成が図１に概略的に図示されており、図２は本発明の全体構成が図示されている。
　図１を参照すれば、前記冷暖房同時型のマルチ空気調和機は、室外に設けられ、室外と熱交換する室外機Ａ、室内の各室に各々設けられて室内と熱交換し、内部に熱交換機と電気作動式膨張弁を具備した多数の室内機Ｃ、また、前記室外機と前記室内機との間に備えられて冷媒を案内する分離器Ｂを具備する。
【００３６】
　なお、本発明によるマルチ空気調和機は、室内の全室が冷房モードで運転される第１モード、多数室を冷房し、少数室を暖房する第２モード、室内の全室が暖房モードで運転される第３モード、及び多数室を暖房し、少数室を冷房する第４モードで運転可能である。
【００３７】
　前記室外機は、冷媒を圧縮し、室外と熱交換するように機能する。
　こうした機能のために、図２に示すように、前記室外機は冷媒を圧縮する圧縮機１、前記圧縮機で圧縮した冷媒の流動を運転条件に沿って、制御する冷媒流動制御部２、前記冷媒流動制御部２と連結する室外熱交換機３、また、各構成要素を連結する配管部を備えている。
【００３８】
　本発明において、前記配管部は一端が前記冷媒流動制御部２に連結され、他端が前記分配器Ｂに連結され、その間に前記室外熱交換機３が連結される第１連結配管４、一端が前記冷媒の流動制御部２に連結され、圧縮した冷媒を前記室外熱交換機３を経由せずに直接前記分配器Ｂへ案内する第２連結配管５、また、前記圧縮機１の吸入端と前記分配器を連結し、中間部が前記冷媒の流動制御部２に連結されて冷媒を前記圧縮機へ案内する第３連結配管６からなる。図面上の４ａ及び４ｂはそれぞれ前記第１連結配管の前端部及び後端部を示す。
【００３９】
　また、前記冷媒の流動制御部２は運転条件に沿って冷媒の流れを制御する装置であって、一端が前記圧縮機１の吐き出し端に連結された第１補助連結管７ａ、前記第１補助連結管７ａの他端に連結されてそこから流れ込んだ冷媒の流れを運転条件によって転換させる流路制御ユニット８、一端が前記流路制御ユニット８に連結され、他端が前記第１連結配管４に連結される第２補助連結管７ｂ、また、一端が前記流路制御ユニット８に連結され、他端が第３連結配管６の中間部と連結した第３補助連結管７ｃを具備する。
【００４０】
　前記冷媒の流動制御部２の流路制御ユニットは、冷媒流路制御８において、主な機能を行う。このような機能はいろいろな方式で行われる。例えば、前記運転条件による冷媒の流れを電子式で統制する電子弁による方式、また、後述する実施例（図３）で構成する四方弁による方式などがある。
【００４１】
　なお、前記分配器Ｂは、運転条件に沿って、前記室外機Ａの第１連結配管４または第２連結配管５に沿って流れ込む冷媒を前記室内機に案内し、前記室内機Ｃから流れ込んだ冷媒を第１連結配管４または第３連結配管６を介して前記運転条件に沿って冷媒が前記室内機に選択的に流出、流入するように冷媒の流れを制御する弁部を具備する。
【００４２】
　また、前記案内配管部は、前記第１連結配管４に連結され、高圧の液相冷媒を前記室内機と室外機との間に案内する高圧の液相流路と、前記第２連結配管５と連結して高圧の気相冷媒を前記室内機と室外機との間に案内する高圧の気相流路と、また、前記第３連結配管６と連結して低圧の気相冷媒を前記室内機と室外機との間に案内する低圧の気相流路を具備する。
【００４３】
　また、前記高圧の液相流路は、一端が前記室外機Ａの第１連結配管４と直接連結される高圧の液相冷媒連結管２１、一端が前記高圧の液相冷媒連結管で前記室内機の数だけ分岐し、他端が前記各室内機の電気作動式膨張弁３０に連結される高圧の液相冷媒分岐管２２を具備する。
　前記高圧の気相流路は、一端が前記室外機Ａの第２連結配管５に直接連結される高圧の気相冷媒連結管２３と、一端が前記高圧の気相冷媒連結管で前記室内機の数だけ分岐し、他端が前記各室内熱交換機３１に連結される高圧の気相冷媒分岐管２４を具備する。
【００４４】
　前記低圧の気相流路は、一端が前記室外機の第３連結配管６に直接連結される低圧の気相冷媒連結管２５と、一端が前記低圧の気相冷媒連結管で前記室内機の数だけ分岐し、他端が前記各室内機の熱交換機３１に連結される低圧の気相冷媒分岐管２６を具備する。
【００４５】
　なお、前記弁部は、前記高圧の気相冷媒分岐管２４と前記低圧の気相冷媒分岐管２６に各々設けられ、室内が冷房の場合、前記高圧の気相冷媒分岐管２４の弁２７は閉鎖、低圧の気相冷媒分岐管の弁２８は開放され、室内が暖房の場合、前記各弁が逆に開閉されて冷媒の流れを制御する選択弁を具備する。
【００４６】
　前記図面番号２２は２２ａ、２２ｂ、２２ｃを、２４は２４ａ、２４ｂ、２４ｃを、２６は２６ａ、２６ｂ、２６ｃを、２７は２７ａ、２７ｂ、２７ｃを、２８は２８ａ、２８ｂ、２８ｃを、３０は３０ａ、３０ｂ、３０ｃを、３１は３１ａ、３１ｂ、３１ｃを示す。
【００４７】
　以下、本発明による実施例について図３を参照して説明する。
　本発明の実施例による発明の基本的な構成は、上述したのも同一な説明は省略し、以下では、本実施例による特徴的な構成、結合関係また、本システムの動作について説明する。
　図３に示すように、前記流路制御ユニット８は、前記運転条件によって位置を変換して冷媒を案内し、内部には流路が形成されたインナー弁８ａを具備している。
【００４８】
　なお、前記冷媒流動制御部２は、前記流路制御ユニット８の動作を遅延せずに行わせる遅延防止ユニットを更に具備している。前記遅延防止ユニットは、一端が前記遅延防止配管９ａの中間部に連結された遅延防止配管９ａと、一端が前記遅延防止配管９ａの中間に連結され、他端が流路制御ユニット８に連結されて前記第３または第４モード運転時に前記インナー弁８ａの一方が加圧され続けるように所定量の冷媒を前記流路制御ユニット８の内部へ案内して前記インナー弁を固定する加圧用閉鎖管９ｂを具備する。
【００４９】
　更に望ましくは、前記遅延防止ユニットは、遅延防止配管に具備され、前記第１モードまたは第２モード運転時、前記遅延防止配管９ａを流れる低圧と高圧の冷媒を遮断して冷媒圧を各々維持する均圧弁１０ａと、一端が前記遅延防止配管９ａの他端に連結され、他端が前記第３連結配管６の中間部に連結されて前記第３または第４モードから前記第１または第２モードに転換時、前記加圧用閉鎖管９ｂの冷媒圧を減らして前記インナー弁８ａの移動を迅速にする圧縮機低減用補助冷媒流動管９ｃを具備する。
【００５０】
　また、前記遅延防止ユニットは、前記補助冷媒流動管９ｃと前記遅延防止配管９ａの連結部に具備され、前記第３または第４モード運転時、前記補助冷媒流動管９ｃと前記遅延防止配管９ａとの間を遮断して冷媒の圧力をそれぞれ維持する補助均圧弁１０ｂ、前記均圧弁１０ａと補助均圧弁１０ｂとの間に具備されて前記第１または第２モードから前記第３または第４モードで転換時に冷媒を急速に前記加圧用閉鎖管９ｂに流入させて前記インナー弁８ａの移動を迅速にする急速冷媒流動管９ｄを更に具備する。
【００５１】
　前記遅延防止ユニットは前記インナー弁８ａの転換を遅延させずに迅速にする長所があり、前記の機械的な転換方式ではない、電子式で前記インナー弁８ａの移動を制御する転換方式を採択してもよい。
　なお、前記配管部は前記分配器の第１連結配管４ｂ側に設けられて第１または第２モード運転時にだけ前記分配器側に冷媒を通過させる逆止弁１１、前記逆止弁と並列に設けられて第３または第４モードの運転時にだけ、前記分配器から流れ込んだ冷媒を前記室外熱交換機へ案内し、前記冷媒の膨張要素を含む並列膨張配管１２を更に具備する。
【００５２】
　望ましくは、図３に示すように、前記並列膨張配管１２の膨張要素は、前記第３または第４モードの運転時、前記室外熱交換機３へ流れ込む冷媒を膨張する暖房用電気作動式膨張弁１２ａからなることが望ましい。
【００５３】
　また、他の方式では、前記第１連結配管４ｂ上に電気作動式膨張弁を備えて、前記第１または第２モード運転時に前記電気作動式膨張弁の開道を完全に開放して冷媒をそのまま通過させ、前記第３または第４モードの運転時には前記電気作動式膨張弁の開道を制御して冷媒を膨張させる方式を取ることもできる。
【００５４】
　図３において、前記分配器Ｂは前記第２連結配管５と前記低圧の気相冷媒連結管２５との間に設けられて第１モードの運転時、高圧の気相冷媒が渋滞によって液化することを防止する液化遮断装置２９を具備する。
　ここで、前記液化遮断装置２９は、前記第２連結配管５と前記低圧の気相冷媒連結管２５とを連結させて第１モードの運転時、溜まっている高圧の気相冷媒を迂回させるバイパス管２９ａ、及び前記バイパス管２９ａに設けられて前記第２連結配管５に溜まっている高圧の気相冷媒を低圧の気相冷媒に変換させる電気作動式膨張弁２９ｂを具備する。
【００５５】
　また、前記実施例は室内の広さや構造によって、図１０に示すように、２台以上の分離器を有する冷暖房同時型のマルチ空気調和機で構成できる。
　以下、前記四種類の運転モードによるマルチ空気調和機の全体動作について説明する。
　第一、第１モードによる動作を図４と第８を参照して説明する。
　図４に示すように、前記圧縮機１から吐き出された大部分の高圧の気相冷媒は第１補助連結管７ａを経て四方弁８に流れ込む。前記冷媒は前記インナー弁８ａの制御を受けて前記第２補助連結管７ｂへ案内される。前記四方弁２の冷媒制御方式は全体の流れを説明した後に説明する。
【００５６】
　前記第２補助連結管７ｂを経た冷媒は、第１連結配管４ａへ案内された後、前記室外熱交換機３へ流れ込み熱を放出する。前記室外熱交換機３を経て高圧の液相に相が変化した冷媒は、前記逆止弁１１と前記第１連結配管４ｂを経て前記分配器の高圧の液相冷媒連結管２１へ案内される。
【００５７】
　次に前記高圧液相連結管２１を経た冷媒は、室内機の数だけ分岐した前記高圧の液相冷媒分岐管２２へ案内された後、前記室内機の電気作動式膨張弁３０に流れ込む。前記電気作動式膨張弁に流れ込んだ高圧液相の冷媒は膨張した後前記室内熱交換機３１を経て吸熱過程を経る。
【００５８】
　前記室内熱交換機３１を経た冷媒は、低圧の気相冷媒で前記分配器の低圧の気相冷媒分岐管２６に沿って流れる。その理由としては、図４に示すように、前記高圧の気相冷媒分岐管２４上の選択弁２７が遮断され、前記低圧の気相冷媒分岐管２６の選択弁が開放されるからである。前記の選択弁は運転モードによって電子式で統制する。
　前記低圧の気相冷媒分岐管２６を経た冷媒は、前記低圧の気相冷媒連結管２５に集結して前記室内機の第３連結配管６へ案内された後、更に圧縮機１に吸入される。図４において未説明符号１３はアキュームレータである。
【００５９】
　なお、前記圧縮機１から吐き出された高圧気相の冷媒のうち、所定量は前記第１補助連結管７ａに連結された前記第２連結配管５へ流れ込む。しかしながら、前記分配器の高圧の気相冷媒分岐管２４の選択弁２７は遮断されており、それ以上流れずに溜まる。但し、前記溜まっている冷媒は前記第２連結配管５と前記低圧の気相冷媒連結管２５との間に具備された前記液化遮断装置２９のバイパス管２９ａに迂回して前記電気作動式膨張弁２９ｂを経て低圧の気体状態に変換される。
【００６０】
　前記電気作動式膨張弁２９ｂは前記バイパス管２９ａに具備され、開道量を調節しながら第２連結配管５内に溜まっている高圧の気相冷媒を低圧の気相冷媒に変換させた後、低圧の気相冷媒連結管２５へ流れ込む。
　前記低圧の気相冷媒連結管２５へ流れ込んだ後の流れは上述した通りである。
【００６１】
　前記第１または第２モードの運転時、前記四方弁８を備えた冷媒流路制御部２の動作について説明する。
　図８に示すように、前記四方弁８が作動するには、まず、前記遅延防止ユニットが初期過程を経た後、前記四方弁の作動が行われる。
【００６２】
　前記第３または第４モードにおいて、前記第１または第２モードで転換される初期、即ち図９の状態から図８の状態に転換される初期に、前記均圧弁１０ａが閉鎖されると共に、電気的な力によって前記インナー弁８ａは図面上の右側に所定量移動して前記第１補助連結管７ａから前記四方弁８へ流れ込む冷媒を前記インナー弁８ａの左側に攪乱させる。
【００６３】
　これと共に、前記加圧用閉鎖管９ｂ内に溜まっている高圧の気相冷媒は、前記補助均圧弁１０ｂが開放されると共に前記圧力低減用補助冷媒流動管９ｃに急速に流れ込み、前記加圧用閉鎖管９ｂ内の圧力が急速に低減する。これによって前記インナー弁８ａの左側の冷媒が急速に加圧用閉鎖管９ｂを介して流出し、インナー弁８ａの左側の圧力が右側に及ぼす圧力より相対的に急激に高くなってインナー弁８ａは迅速に右側に移動する。
【００６４】
　前記インナー弁８ａが完全に右側に密着すると、圧縮機１から吐き出された高圧気相の冷媒は前記第１補助連結管７ａと前記四方弁８を経て前記第２補助連結管７ｂに流れ込んで、結局前記第１連結配管４へ案内される。
【００６５】
　なお、前記第１補助連結管７ａから前記第２連結配管へ流れ込んだ高圧の気相冷媒の一部は、前記遅延防止配管９ａに沿って流れるが、前記均圧弁１０ａにより遮断される。これによって前記均圧弁１０ａに基づき、前後の冷媒、即ち、高圧気相の冷媒と低圧気相の冷媒が混ざることがない。
　前記冷媒流動制御部２の動作の結果、前記第１モードが動作する。
【００６６】
　第二、第２モードによる動作について図５を参照して説明する。
　前記第２モードにおいて、前記冷媒流動制御部２の動作は前記第１モードの運転時と同様であるので説明を省略する。
　図５に示すように、前記圧縮機１から吐き出された大部分の高圧の気相冷媒は、第１補助連結管７ａにより四方弁８へ流れ込む。前記流れ込んだ冷媒は前記インナー弁８ａの制御を受けて前記第２補助連結管７ｂへ案内された後、前記第１連結配管４に沿って流れる。その後の動作は、前記第１モードの場合と同じであるので説明を省略する。
【００６７】
　なお、前記四方弁８に流れ込んだ高圧の気相冷媒を除いた少量の冷媒は前記第２連結配管７ｂに沿って案内された後、前記分配器の高圧の気相冷媒連結管２３に流れ込む。前記第２モードでは前記第１モードの場合と異なり、前記液化遮断装置２９の変換用膨張弁２９ｂが遮断されて前記低圧の気相冷媒連結管２５に流れ込まない。
【００６８】
　なお、暖房が必要な室Ｃ１に連結される前記分配器の選択弁は、冷房が必要な室Ｃ２、Ｃ３と反対に、高圧の気相冷媒分岐管２４ａで選択弁２７ａが開放され、低圧の気相冷媒分岐管２６ａの選択弁２８ａが遮断されて、前記高圧の気相冷媒連結管２３に沿って流れる冷媒は、暖房の必要な室Ｃ１に繋がる前記高圧の気相冷媒分岐管２４ａへ案内される。
【００６９】
　前記高圧の気相冷媒分岐管２４ａへ案内された冷媒は、暖房が必要な前記室外機の室内熱交換機３１ａに流れ込んで放熱過程を経た後、前記高圧の液相冷媒分岐管２２ａに流出される。
　前記高圧の気相冷媒分岐管２４ａに沿って案内された冷媒は、前記室外熱交換機３を通過して流れる冷媒と前記高圧の液相冷媒連結管２１で合流して流動し、以降の過程は前記第１モードの場合と同じである。
【００７０】
　第三、第３モードによる動作を図６と図９を参照して説明する。
　図６に示すように、前記圧縮機１から吐き出された大部分の高圧の気相冷媒は前記第１補助連結管７ａを経て前記第２連結配管５へ案内される。前記流れ込んだ冷媒は前記分配器の高圧の気相冷媒連結管２３へ直接案内される。前記四方弁８の冷媒制御方式は前記第３モードの全体の流れを説明してから説明する。
【００７１】
　なお、前記高圧の気相冷媒連結管２３へ案内された冷媒は、前記室外機に分岐される高圧の気相冷媒分岐管２４へ流れ込む。前記第３モードにおいて、電子式で制御される前記分配器の選択弁は、前記第１モードの場合と反対に、前記高圧の気相冷媒分岐管２４の選択弁２７を開放、前記低圧の気相冷媒分岐管２６の選択弁２８を遮断し、前記冷媒は高圧の気相冷媒分岐管２４に沿って流動した後、前記室内機の室内熱交換機３１に流れ込んで放熱過程を経る。
【００７２】
　前記室内熱交換機３１から流出した高圧液相の冷媒は、完全開放した電気作動式膨張弁３０を経て前記高圧の液相冷媒分岐管２２と高圧の液相冷媒連結管２１へ案内された後、前記室外機の第１連結配管４ｂに沿って流動する。
　前記第１連結配管４ｂに沿って案内された冷媒は前記逆止弁１１と並列に設けられた前記並列配管１２の電気作動式膨張弁１２ａを経て室外熱交換機３へ流れ込む。その理由は前記第３モードでは前記逆止弁１１が遮断されているからである。
【００７３】
　前記室外熱交換機３へ流れ込んだ冷媒は、吸熱過程を経た第１後前記連結配管４ａに流出し、前記第１連結配管４ａと第２補助連結管７ｂを順次に経て四方弁８に流れ込む。前記四方弁８に流れ込んだ冷媒は前記四方弁内のインナー弁８ａを経て前記第３補助連結管７ｃへ案内される。また、前記第３補助連結管７ｃに連結された前記第３連結配管６に沿って前記圧縮機１に吸入されて全体的なシステムが形成される。
【００７４】
　次に、前記第３または第４モードの運転時、前記　四方弁８を具備する冷媒流動制御部２の動作について説明する。
　図９に示すように、四方弁８が動作するには、先ず、前記遅延防止ユニットが初期過程を経た後、前記四方弁８の動作が行われる。
【００７５】
　前記第１または第２モードから前記第３モードまたは第４モードに転換される初期即ち、図８の状態から図９の状態に転換される初期に前記補助均圧弁１０ｂが閉じると共に、電気的な力によって前記インナー弁８ａは図面上の左側に所定量移動して前記第１補助連結管７ａから前記四方弁８へ流れ込んだ冷媒を前記インナー弁８ａの右側に攪乱させる。
【００７６】
　これと共に、前記均圧弁１０ａが開放されながら、前記圧縮機１から吐き出される高圧気相の冷媒は、前記第１補助連結管７ａと加圧用閉鎖管９ｂを介して前記四方弁８内に急速に流れ込みながらインナー弁８ａの右側を加圧する。前記加圧によって前記インナー弁８ａは迅速に左側に完全密着し、その状態が維持され、前記第２補助連結管７ｂと前記インナー弁８ａ及び前記第３補助連結管７ｃの流路が連結される。
【００７７】
　なお、前記補助均圧弁１０ｂは前記圧縮機１から吐き出された高圧気相の冷媒と、前記圧縮機１に吸入される低圧気相の冷媒とが混合されないように遮断して前記第２連結配管５は高圧気相領域に、前記第３連結配管６は低圧気相領域に特定される。
　上述した前記冷媒流動制御部２の動作による結果前記第３モードが動作する。
【００７８】
　第四、第４モードによる動作について図７を参照して説明する。
　前記第４モードにおいて、前記冷媒流動制御部２の動作は第３モード運転時と同じであるので下記で説明しない。
　図７に示すように、前記圧縮機１から吐き出された大部分の高圧気相の冷媒は第２連結配管５によって案内されて分配器に流れ込む。前記流れ込んだ冷媒は前記高圧の気相冷媒連結管２３を経由し、前記分配器の選択弁の制御を受けて前記高圧の気相冷媒分岐管２４を介して暖房が必要な室Ｃ２、Ｃ３の室内機に備えられている室内熱交換機３１へ流れ込んで放熱過程を経る。また、完全に開放された前記電気作動式膨張弁３０を経て前記高圧の液相冷媒分岐管２２と高圧の液相冷媒連結管２１に沿って案内される。
【００７９】
　なお、冷房が必要な室Ｃ１に連結される前記分配器の選択弁は、暖房が必要な室とは反対に、前記高圧の気相冷媒分岐管２４ａの選択弁２７ａは遮断、前記低圧の気相冷媒分岐管２６ａの選択弁２８ａは開放されて、前記高圧の液相冷媒連結管２１に沿って流れる冷媒のうち、一定量の高圧の液相冷媒は冷房が必要な室Ｃ１に連結される前記高圧の液相冷媒分岐管２２ａへ案内される。前記高圧の液相冷媒分岐管２２ａへ案内された少量の高圧の液相冷媒を除いた余りの冷媒の流れは第３モードの場合と同じであるので説明を省略する。
【００８０】
　前記高圧の液相冷媒分岐管２２ａへ案内された冷媒は。冷房が必要な前記室内機の電気作動式膨張弁ａで膨張した後、前記室内熱交換機３１ａへ流れ込んで吸熱過程を経由し、前記選択弁２８ａによって流路が開放された低圧の液相冷媒分岐管２６ａへ流出される。
【００８１】
　前記低圧の気相冷媒分岐管２６ａに沿って流れる低圧気相の冷媒は前記低圧の気相冷媒連結管２５を経た後、前記室外熱交換機３を通過して流れる冷媒と前記第３補助連結管７ｃと前記第３連結管６の交差部で合流して前記圧縮機１に吸入される。
【００８２】
　なお、本発明によるマルチ空気調和機によると、室内空間の広さや構造によって複数の分配器を構成することができるため、設置上の長所がある。
　前記複数の分配器それぞれの連結関係は、前述した一台の分配器と同じであるので説明を省略する。
【図面の簡単な説明】
【００８３】
【図１】本発明による冷暖房同時型のマルチ空気調和機を示す概略図である。
【図２】本発明による冷暖房同時型のマルチ空気調和機を示す構成図である。
【図３】本発明による冷暖房同時型のマルチ空気調和機の一実施例を示す構成図である。
【図４】本発明の実施例による冷暖房同時型のマルチ空気調和機が第１モードで運転される状態を示す図である。
【図５】本発明の実施例による冷暖房同時型のマルチ空気調和機が第２モードで運転される状態を示す図である。
【図６】本発明の実施例による冷暖房同時型のマルチ空気調和機が第３モードで運転される状態を示す図である。
【図７】本発明の実施例による冷暖房同時型のマルチ空気調和機が第４モードで運転される状態を示す図である。
【図８】本発明の実施例による冷暖房同時型のマルチ空気調和機が第１または第２モードで運転時、冷媒流動制御部の動作状態を示す詳細図である。
【図９】本発明の実施例による冷暖房同時型のマルチ空気調和機が第３または第４モードで運転時、冷媒流動制御部の動作状態を示す詳細図である。
【図１０】本発明による冷暖房同時型のマルチ空気調和機の他の一実施例を示す構成図である。
【符号の説明】
【００８４】
１…圧縮機
２…冷媒流動制御部
３…室外熱交換機
４…第１連結配管
５…第２連結配管
６…第３連結配管
７…補助連結管
１１…逆止弁
１２…並列膨張配管
２１…高圧の液相冷媒連結管
２２…高圧の液相冷媒分岐管
２３…高圧の気相冷媒連結管
２４…高圧の冷媒分岐管
２５…低圧の気相冷媒連結管
２６…低圧の冷媒分岐管
２７、２８…選択弁
２９…液化遮断装置
２９ａ…バイパス管
２９ｂ…電気作動式膨張弁
３０…室内電気作動式膨張弁
３１…室内熱交換機
【図１】
2004085195.tif 000003
【図２】
2004085195.tif 000004
【図３】
2004085195.tif 000005
【図４】
2004085195.tif 000006
【図５】
2004085195.tif 000007
【図６】
2004085195.tif 000008
【図７】
2004085195.tif 000009
【図８】
2004085195.tif 000010
【図９】
2004085195.tif 000011
【図１０】
2004085195.tif 000012